(57)【要約】【課題】一般の多用途機能枕の形状を変更し、人体工学の設計に適合し、使用者に最高の睡眠厚さを提供し、使用者の睡眠品質を向上させる多用途機能枕を提供する。【解決手段】枕の本体（１）、枕の本体（１）の中心に設けられている第一凹み（２）、枕の本体（１）の一端に設けられている翼部（３）、および、翼部（３）と枕の本体（１）のそばに位置する第二凹み（４）を備える。各種の寝姿に適用し、枕の中心に設けた第一凹みの厚さと枕の両端の厚さが人体工学の設計に適合するため、使用者に最高の仰臥臥位の睡眠高さを提供することができる。【選択図】図１
0003205056.tif 000002
【実用新案登録請求の範囲】
【請求項１】
枕の本体（１）、枕の本体（１）の中心に設けられている第一凹み（２）、枕の本体（１）の一端に設けられている翼部（３）、および、翼部（３）と枕の本体（１）のそばに位置する第二凹み（４）を備えることを特徴とする多用途機能枕。
【請求項２】
翼部（３）に多数のマッサージ凹み（５）が形成されており、
全てのマッサージ凹み（５）が等間隔で分布していることを特徴とする請求項１に記載の多用途機能枕。
【請求項３】
全てのマッサージ凹み（５）が翼部（３）の対称軸と平行に設定されていることを特徴とする請求項２に記載の多用途機能枕。
【請求項４】
翼部（３）の頂面から内側に向いて翼部（３）の底面までカットし傾斜面を形成することを特徴とする請求項１に記載の多用途機能枕。
【請求項５】
翼部（３）は、第一翼部（３１）と第二翼部（３２）を有し、
第一翼部（３１）と第二翼部（３２）とは枕の本体（１）の中軸線を対称軸として対称であり、
第二凹み（４）は、二つであり、それぞれ、第一翼部（３１）と枕の本体（１）との間の外側、および、第二翼部（３２）と枕の本体（１）との間の外側に位置することを特徴とする請求項４に記載の多用途機能枕。
【請求項６】
枕の本体（１）と第一翼部（３１）、第二翼部（３２）の間に第三凹み（６）があることを特徴とする請求項５に記載の多用途機能枕。
【請求項７】
第一翼部（３１）と第二翼部（３２）の最大間隔は、枕の本体（１）の第一翼部（３１）および第二翼部（３２）とは反対側の端部の幅より大きく形成されていることを特徴とする請求項５に記載の多用途機能枕。
【請求項８】
第一凹み（２）は弧状の凹みであることを特徴とする請求項１に記載の多用途機能枕。
【請求項９】
枕の本体（１）の厚さは、枕の本体（１）の両端から第一凹み（２）に向かうにしたがって減少し、
枕の本体（１）の一端は、枕の本体（１）の他端より低く形成されていることを特徴とする請求項１に記載の多用途機能枕。
【請求項１０】
枕カバー（７）をさらに備え、
枕の本体（１）は枕カバー（７）中に位置することを特徴とする請求項１〜９のいずれか一項に記載の多用途機能枕。
【考案の詳細な説明】
【技術分野】
【０００１】
本考案は、生活用品分野に属し、一つの枕、特に一つの多用途機能枕に関わる。
【背景技術】
【０００２】
今の市場に販売している各種の枕は、形状も厚さもまちまちで、人々の睡眠と寝姿要求に満足できないため、人の睡眠時間にあるノンレム睡眠時間が減少し、長い時間を経て、よく肩痛、首の痛み、頭痛などで人に迷惑をかけ、仕事に対して影響がある。本考案は人間本位で、枕の設計厚さと形状がもっと多い人々に適用し、上記の迷惑が緩和できる。一般的に、枕の内部に充填したスポンジは季節によって温度が異なって、冬の時硬くなる。本考案は、温度の変化がスポンジの硬軟度に対する影響を弱める。
【考案の概要】
【考案が解決しようとする課題】
【０００３】
本考案の目的は、一般の多用途機能枕の形状を変更し、人体工学の設計に適合し、使用者に最高の睡眠厚さを提供し、使用者の睡眠品質を向上させる多用途機能枕を提供することにある。
【課題を解決するための手段】
【０００４】
本考案は下記の通りである。
多用途機能枕は、枕の本体、枕の本体の中心に設けた第一凹み、枕の本体の一端に設けた翼部、翼部と枕の本体のそばにある第二凹みを含む。
さらに、翼部に多数のマッサージ凹みがあり、全てのマッサージ凹みが等間隔で分布している。
【０００５】
さらに、全てのマッサージ凹みが翼部の対称軸と平行で設定している。
さらに、翼部のトップから内に、翼部の底部と傾斜面を作成するまでカットする。
さらに、翼部が第一翼部と第二翼部を含め、第一翼部と第二翼部が枕の本体の中軸線を対称軸として対称で設定している。
【０００６】
第一翼部と枕の本体の側に第二凹みがあり、第二翼部と枕の本体の側にもうひとつの第二凹みがある。
枕の本体と第一翼部、第二翼部の間に第三凹みがある。
第一翼部と第二翼部の最大間隔は枕の本体の向こう側の幅より大きい。
第一凹みは弧状凹みである。
【０００７】
枕の本体の厚さは、枕の本体の両端から第一凹みへ減少する。
枕の本体の一端の厚さは、枕の本体の向こう側より小さいである。
枕カバーも含み、枕の本体を枕カバーに放置する。
本考案の有益な効果は以下の通りである。
本考案の枕の形状は、各種の寝姿に適用し、枕の中心に設けた第一凹みの厚さと枕の両端の厚さが人体工学の設計に適合するため、使用者に最高の仰臥臥位の睡眠高さを提供する。
【０００８】
翼部と枕の本体のそばに第二凹みがあり、使用者が伏せて寝る時、両手が第二凹みに掛けて、且つ翼部のトップと底部にある隙間を通り抜けて、もっと快適になる。その同時に、使用者が顎を第三凹みに置いて、マッサージの機能がある。使用者が側臥の場合、第二凹みを枕に寝て、両端がマッサージの機能がある。
【０００９】
枕の本体の一端の厚さは、枕の本体の向こう側より小さいであるため、使用者は自分の睡眠習慣によって厚さを選択する。第一凹みを枕に寝て、もっと人間本位の設計である。
枕をクッションとして使用する場合、枕の本体の一端を下に向いて、第三凹みが使用者の椎骨に触れて、枕の快適性を向上させる。翼部に設けたマッサージ凹みがマッサージできる。
【図面の簡単な説明】
【００１０】
【図１】本考案の一実施例の枕の本体の構造を示す模式図である。
【図２】本考案の一実施例の枕カバーの構造を示す模式図である。
【考案を実施するための形態】
【００１１】
本考案の目的、技術案と利点をもっと明らかに展示するよう、本考案の付図に基づき、一実施例を以下の通り説明するが、本考案を限定するものではない。
図１と図２によって、多用途機能枕は、枕の本体１、枕の本体１の中心に設けた第一凹み２、枕の本体１の一端に設けた翼部３、翼部３と枕の本体１のそばにある第二凹み４を含む。
【００１２】
翼部３に多数のマッサージ凹み５があり、全てのマッサージ凹み５が等間隔で分布している。
全てのマッサージ凹み５が翼部３の対称軸と平行で設定している。
翼部３のトップから内に、翼部３の底部と傾斜面を作成するまでカットする。
【００１３】
翼部３が第一翼部３１と第二翼部３２を含め、第一翼部３１と第二翼部３２が枕の本体１の中軸線を対称軸として対称で設定している。
第一翼部３１と枕の本体１の側に第二凹み４があり、第二翼部３２と枕の本体１の側にもうひとつの第二凹み４がある。
【００１４】
枕の本体１と第一翼部３１、第二翼部３２の間に第三凹み６がある。
第一翼部３１と第二翼部３２の最大間隔は枕の本体１の向こう側の幅より大きいである。
第一凹み２は弧状凹みである。
【００１５】
枕の本体１の厚さは、枕の本体１の両端から第一凹み２へ減少する。第一凹み２の底部から枕の本体１の底部までの厚さは３ｃｍである。３ｃｍは人が仰臥時、頭からベッドまでの最適の高さである。枕の本体１の両側の高さが５ｃｍで、人が側臥時、肩の高さがあるため、５ｃｍは側臥時頭からベッドまでの最適の高さである。
【００１６】
枕の本体１の一端の厚さは、枕の本体１の向こう側より小さいである。
枕カバー７も含み、枕の本体１を枕カバー７に放置する。
枕の本体１は安定性材料、例えば二フェニルメタンジイソシアネートで作成して、枕の本体１の硬さが季節の変換によって変化しないことを保証する。
【００１７】
本考案の使用方法は下記の通りである。
１．使用者が仰臥の場合、枕の本体１の一端の厚さは、枕の本体１の向こう側より小さいため、使用者は自分の睡眠習慣によって枕の本体１の端を選択する。第一凹み２を枕に寝て、第一凹み２の底部から枕の本体１の底部までの厚さは３ｃｍで、人が仰臥時、頭からベッドまでの最適の高さである。
【００１８】
２．人が仰臥時、枕の本体１の両側の高さが５ｃｍで、頭からベッドまでの最適の高さである。使用者が側臥の場合、第二凹み４を枕に寝て、両端がマッサージの機能がある。
【００１９】
３．使用者が伏せて寝る時、両手が第二凹み４に掛けて、且つ翼部３のトップと底部にある隙間を通り抜けて、もっと快適になる。その同時に、使用者が顎を第三凹み６に置いて、マッサージの機能がある。
【００２０】
４．枕をクッションとして使用する場合、枕の本体１の一端を下に向いて、第三凹み６が使用者の椎骨に触れて、枕の快適性を向上する。翼部３に設けたマッサージ凹み５がマッサージできる。
【００２１】
本考案は上記の一実施例に限られなく、本分野の技術者が本考案から啓発され、他の各種型式の製品も研究開発できるが、形状や構造の変化にいかなる変化があっても、本考案と同じまたは類似な技術案は、本考案の保護範囲に含まれる。
【符号の説明】
【００２２】
１  枕の本体、
２  第一凹み、
３  翼部、
３１  第一翼部、
３２  第二翼部、
４  第二凹み、
５  マッサージ凹み、
６  第三凹み、
７  枕カバー。
【図１】
0003205056.tif 000003
【図２】
0003205056.tif 000004